(57)【要約】【課題】  回転カム機構によりリフィールを繰り出す筆記具において、リフィールを軸筒の後端から取り出すことができるようにする。【解決手段】  軸筒（１）内に回り止め状態でストッパー（３）を固定する。このストッパー（３）内にカム筒（４）を挿入する。このカム筒（４）に設けた係合突起（１５）を、上記ストッパー（３）の係合孔（１４）に係合する。この係合は、カム筒（４）を回転させることにより外すことができる。上記カム筒（４）にノック部（５）を軸方向に移動可能にかつ回転不能に連結する。ノック部（５）を回転すると、カム筒（４）がストッパー（３）から外れるので、カム筒（４）及びノック部（５）を軸筒の後端から抜き取ることができ、軸筒内のリフィール（２）を軸筒の後端から取り出すことができる。      【選択図】      図１
2005343072.tif 000002
【特許請求の範囲】
【請求項１】
係合孔を有し軸筒内に回り止め状態で固定される筒状のストッパーと、該ストッパーに挿入され外面に係合突起を有し内面に固定カムを形成したカム筒と、該カム筒に軸方向に移動可能で回転不能に連結されるノック部を具備し、上記カム筒の係合突起は、上記ストッパーにカム筒を挿入した際上記ストッパーの係合孔に係合され回転方向には離脱可能に係合していることを特徴とする筆記具。
【請求項２】
上記ストッパーの後端には、上記カム筒の係合突起を上記係合孔へ誘導するようガイド縁が形成されている請求項１に記載の筆記具。
【請求項３】
上記係合突起には、ガイド筒の回転方向に傾斜する斜面が形成されている請求項１または２に記載の筆記具。
【請求項４】
上記係合突起は、ガイド筒の軸径方向に弾性的に変位可能に設けられている請求項１または３に記載の筆記具。
【請求項５】
上記カム筒は軸方向に延びる窓孔と後方に開口する案内溝を有し、上記ノック部は上記窓孔に摺動可能に嵌合する連結突起と上記案内溝に挿通されるリブを有する請求項１ないし４のいずれかに記載の筆記具。
【請求項６】
係合孔を有する軸筒と、該軸筒に挿入され外面に係合突起を有し内面に固定カムを形成したカム筒と、該カム筒に軸方向に移動可能で回転不能に連結されるノック部を具備し、上記カム筒の係合突起は、上記軸筒にカム筒を挿入した際上記軸筒の係合孔に係合され回転方向には離脱可能に係合していることを特徴とする筆記具。
【請求項７】
上記軸筒の内面には、上記カム筒の係合突起を上記係合孔へ誘導するようガイド縁が形成されている請求項６に記載の筆記具。
【請求項８】
上記係合突起には、ガイド筒の回転方向に傾斜する斜面が形成されている請求項６または７に記載の筆記具。
【請求項９】
上記係合突起は、ガイド筒の軸径方向に弾性的に変位可能に設けられている請求項６または８に記載の筆記具。
【請求項１０】
上記カム筒は軸方向に延びる窓孔と後方に開口する案内溝を有し、上記ノック部は上記窓孔に摺動可能に嵌合する連結突起と上記案内溝に挿通されるリブを有する請求項６ないし９のいずれかに記載の筆記具。
【発明の詳細な説明】
【技術分野】
【０００１】
本発明は、ボールペン等のリフィールを回転カム機構により繰り出すようにした筆記具に関する。
【背景技術】
【０００２】
回転カム機構を用いてノック操作でリフィールを繰り出すようにした種々の筆記具が知られている（例えば特許文献１参照）。回転カム機構は、公知のように、軸筒の内面に形成される固定カムと、リフィールの後端に当接し上記固定カムに係合する回転カムと、上記固定カム内に挿入され上記回転カムを軸方向に移動させるノックカムを有し、上記ノックカムをノックすることにより上記回転カムを回転して固定カムとの係合位置を変え、上記リフィールを筆記位置に突出したり、収納位置に後退させたりするよう構成されている。
【０００３】
従来の回転カム機構は、基本的に上記のような構成を有しているので、リフィールを交換する場合には、上下に分離可能にねじ着されている軸筒を分解したり、軸筒の先端にねじ着されている口金（先端チップ）を外して軸筒の前端を開口しなければならないものが多かった。そのようなねじ部を設けなければならないため、口金部分がある程度太くなったり、軸筒を透明にした場合、ねじ部等が外観に表われ、見栄えが悪くなり、デザイン上の制約をうけたり、外観を損なう原因ともなっていた。
【特許文献１】実用新案登録第２５６７０９８号公報（図２）
【発明の開示】
【発明が解決しようとする課題】
【０００４】
本発明の解決課題は、回転カム機構によりリフィールを繰り出すようにした筆記具において、口金を外したり、軸筒を分解したりすることなく、軸筒の後端側からリフィールを交換することができるようにした筆記具を提供することである。
【０００５】
また、本発明の解決課題は、上述の如き筆記具において、外観形状を損なうことなく、上記回転カム機構のノック部を回転することによりリフィールを交換できるようにすることである。
【課題を解決するための手段】
【０００６】
本発明によれば、係合孔を有し軸筒内で回り止め状態で固定される筒状のストッパーと、該ストッパーに挿入され外面に係合突起を有し内面に固定カムを形成したカム筒と、該カム筒に軸方向に移動可能で回転不能に連結されるノック部を具備し、上記カム筒の係合突起は、上記ストッパーにカム筒を挿入した際上記ストッパーの係合孔に係合され回転方向には離脱可能に係合していることを特徴とする筆記具及び上記ストッパーを省略し、軸筒に係合孔を設け、該軸筒に上記カム筒を直接挿入して軸筒の係合孔にカム筒の係合突起を回転方向に離脱可能に係合した筆記具が提供され、上記課題が解決される。
【発明の効果】
【０００７】
本発明は上記のように構成され、軸筒内に回り止め状態で固定されるストッパー若しくは軸筒に形成した係合孔と、該ストッパー若しくは軸筒に挿入され内面に固定カムを形成したカム筒と、該カム筒に軸方向に移動可能にかつ回転不能に連結されるノック部を有し、上記カム筒に設けた係合突起を回転方向に離脱可能に上記係合孔に係合できるようにしたから、最初にノック部を該カム筒に連結し、このカム筒内に回転カム、ノックカム等を収納し、該カム筒を上記ストッパーに挿入した状態で若しくはカム筒を直接軸筒の後端から挿入すれば、簡単に軸筒に組み付けることができる。そして、リフィールを交換する際は、ノック部を回転するとカム筒が一緒に回って該カム筒の係合突起が上記係合孔から外れるので、カム筒がストッパー若しくは軸筒から分離可能となり、カム筒及びノック部を軸筒の後方から取り出すことができ、従来のように軸筒の前方を開放せずにリフィールを交換することができる。新しいリフィールと交換したら、上記カム筒等を上記ストッパー若しくは軸筒に挿入すればよい。この際、ストッパーの後端若しくは軸筒の内面にガイド縁を設けて上記係合突起を係合孔に誘導するようにすれば、カム筒を軸方向に押し込むだけで特に位置決めしなくても係合突起を係合孔に係合させることができるから、組み付け操作が簡単であり、また、ねじ部等を省略することもできるので、口金部分を細く形成することも可能であり、その上、上記ストッパーを用いると係合孔が外面に表われないので、外観が優れ、デザインが損われるおそれもないし、軸筒も種々の形態に形成することができる。
【発明を実施するための最良の形態】
【０００８】
図１は、ストッパーを用いる形態の本発明の一実施例を示し、軸筒（１）内には、ボールペンリフィール等のリフィール（２）が収納され、その後方には該軸筒（１）に固定されるストッパー（３）、該ストッパー（３）に挿入されるカム筒（４）、該カム筒（４）に軸方向に移動可能でかつ回転不能に連結されたノック部（５）等が設けられ、上記カム筒（４）内には回転カム機構を構成する固定カム（６）が形成され、回転カム（７）やノックカム（８）が収納されている。このような回転カム機構については、種々の構成が知られているので、詳述しない。
【０００９】
上記ストッパー（３）は、図２に示すように、略筒状に形成され、軸筒（１）内に設けた内段部（９）（図１参照）に当接する挿入先端（１０）と、該軸筒内に形成したリブや平面部等の回り止め部材（図示略）と係合して該ストッパーの回り止めをする回転阻止部（１１）と、軸筒内に設けた内方係合部（１２）に係合する係合部（１３）を有している。また、該ストッパー（３）の筒壁には、係合孔（１４）が形成され、該ストッパー（３）の後方には、後記するカム筒（４）の係合突起（１５）を上記係合孔（１４）に誘導するため係合孔（１４）の軸方向に隣接して設けた内面凹部（１６）や後端が山形状の突出部となり上記内面凹部部分が谷部となるように突出部と谷部を弧状のわん曲面で結んだガイド縁（１７）を形成してある。
【００１０】
上記カム筒（４）は、上述のように内面に固定カム（６）が形成され、外面には係合突起（１５）が設けられており、後方にはフランジ部（１８）が形成されている（図３）。上記係合突起（１５）、（１５）間のカム筒の筒壁には、上記係合突起（１５）部分が弾性的に軸径方向に容易に変位できるよう軸方向に延びる窓孔（１９）を形成してあり、該窓孔（１９）に連続して上記フランジ部（１８）の内面には上記窓孔よりも細幅で後方に開口する案内溝（２０）が設けられている。
【００１１】
また、図３（Ｄ）に示すように、上記係合突起（１５）は、係合孔（１４）の軸方向の孔縁に係合する端面を起立面（２１）に形成し軸方向に確実に係合するようにしてあるが、カム筒（４）を回転した際、上記ストッパー（３）の係合孔（１４）から抜け出して該ストッパー（３）の内面側に容易に入り込めるよう該係合孔の周方向の孔縁に係合する回転方向の端面は斜面（２２）に形成されている。この斜面に代えて、ほぼ同じような作用をするようストッパーの上記係合孔（１４）の周方向の孔縁に斜面を設けたり、上記係合突起（１５）と係合孔（１４）の回転方向（周方向）の係合面にそれぞれ斜面を設けてもよい（図示略）。上記の構成により、上記係合突起（１５）は回転方向に離脱可能に上記係合孔（１４）に係合するが、係合突起を挾んでスリットを設けたり、カム筒の筒壁を薄く形成したり、その他適宜の構成によりカム筒を回転させた際に係合突起が係合孔から外れる方向に容易に変位するように形成することもできる。なお、図に示す実施例では、上記斜面を周方向の一方側のみに設けてあるが、両側に形成してもよい。
【００１２】
上記ノック部（５）は、図４に示すように、フランジ部（２３）の一側に上記カム筒（４）に回り止め状態で挿入される略縦長断面形状の連結部（２４）が形成され、他側に軸筒（１）の後端から突出する操作部（２５）が形成されている。上記連結部（２４）には、上記カム筒（４）の窓孔（１９）から突出し該窓孔に摺動可能に嵌合するよう周方向に適宜の幅で広がる連結突起（２６）と、上記カム筒（４）の案内溝（２０）に挿入されて軸方向の摺動を案内するリブ（２７）を形成してあり、挿入先端側には上記カム筒（４）
に容易に挿入することもできるよう軸方向に延びるスリット（２８）が設けられている。
【００１３】
上記の構成により、最初に軸筒（１）に組み付けるには、図５に示すようにカム筒（４）にノック部（５）の連結部（２４）を挿入して該ノック部（５）がカム筒（４）の軸方向に移動可能にかつ回転不能に連結された連結体を組み立てる。
【００１４】
次に、上記連結体のカム筒（４）をストッパー（３）に挿入して係合突起（１５）をストッパー（３）の係合孔（１４）に係合させる（図６）。そして、該カム筒内にノックカム（８）や回転カム（７）を収納した状態で軸筒（１）の後端から軸筒内に挿入し、上記ストッパー（３）の挿入先端（１０）が内段部（９）に当接する位置まで前進させると、該ストッパー（３）の係合部（１３）が軸筒（１）の内方係合部（１２）に係合しかつ回転阻止部（１１）により該ストッパー（３）は軸筒内に回り止め状態で固定される。リフィール（２）は、予め軸筒内に挿入され、その後端に回転カム（７）が当接することになるので、上記ノック部（５）をノックしてノックカムを軸方向に進退させることにより通常のように使用することができる。
【００１５】
上記ノック部（５）は、カム筒（４）に回り止め状態で連結されているから、リフィール（２）を交換するときは、該ノック部（５）を回転させればよい。この回転により、上記カム筒（４）の係合突起（１５）は、ストッパー（３）の係合孔（１４）から外れるから、該ノック部（５）を後方へ引張ると上記カム筒（４）はストッパーから分離され、ノック部とカム筒の連結体を軸筒（１）から抜き出して、リフィール（２）を軸筒の後端から取り出すことができる。新しいリフィールを軸筒内に挿入したら、上記カム筒（４）とノック部（５）の連結体を軸筒の後端から挿入し、上述のように上記ストッパー（３）にカム筒（４）を係合させればよい。
【００１６】
上記実施例では、ストッパーを用いたが、図７には、ストッパーを省略した形態の実施例が示されている。図において、軸筒（２９）は係合孔（３０）を有し、該係合孔（３０）にカム筒（４）の係合突起（１５）が回転方向に離脱可能に係合している。該係合突起（１５）を上記係合孔（３０）に誘導するガイド縁（３１）及び内面凹部（３２）は上記軸筒（２９）の内面に形成されている。ガイド筒（４）やノック部（５）等の構成は、上記実施例とほぼ同様であるので、同じ符号を付して説明を省略する。この構成によれば、軸筒（２９）の後端からカム筒（４）を軸筒（２９）内に挿入することにより組み付けでき、また該カム筒（４）を回転することにより軸筒から取り外してリフィールを交換することができ、上述の如きストッパーを用いないので構成が簡単で経済的である。
【図面の簡単な説明】
【００１７】
【図１】本発明の一実施例を示す半断面図。
【図２】ストッパーを示し、（Ａ）は半断面図、（Ｂ）は平面図。
【図３】カム筒を示し、（Ａ）は半断面図、（Ｂ）は平面図、（Ｃ）は（Ｂ）図のｃ−ｃ断面図、（Ｄ）は係合突起の説明図。
【図４】ノック部を示し、（Ａ）は平面図、（Ｂ）は半断面図、（Ｃ）は（Ｂ）図のｃ−ｃ断面図、（Ｄ）は（Ｂ）図のｄ−ｄ断面図。
【図５】カム筒とノック部を連結した状態の説明図。
【図６】図５に示すカム筒とノック部の連結体をストッパーに連結する状態を示し、（Ａ）は連結前、（Ｂ）は連結後の説明図。
【図７】本発明の他の実施例を示す半断面図。
【符号の説明】
【００１８】
１、２９  軸筒
２    リフィール
３    ストッパー
４    カム筒
５    ノック部
１３    係合部
１４、３０  係合孔
１５    係合突起
【図１】
2005343072.tif 000003
【図２】
2005343072.tif 000004
【図３】
2005343072.tif 000005
【図４】
2005343072.tif 000006
【図５】
2005343072.tif 000007
【図６】
2005343072.tif 000008
【図７】
2005343072.tif 000009
【手続補正書】
【提出日】平成17年1月18日(2005.1.18)
【手続補正１】
【補正対象書類名】特許請求の範囲
【補正対象項目名】請求項３
【補正方法】変更
【補正の内容】
【請求項３】
上記係合突起には、カム筒の回転方向に傾斜する斜面が形成されている請求項１または２に記載の筆記具。
【手続補正２】
【補正対象書類名】特許請求の範囲
【補正対象項目名】請求項４
【補正方法】変更
【補正の内容】
【請求項４】
上記係合突起は、カム筒の軸径方向に弾性的に変位可能に設けられている請求項１または３に記載の筆記具。
【手続補正３】
【補正対象書類名】特許請求の範囲
【補正対象項目名】請求項８
【補正方法】変更
【補正の内容】
【請求項８】
上記係合突起には、カム筒の回転方向に傾斜する斜面が形成されている請求項６または７に記載の筆記具。
【手続補正４】
【補正対象書類名】特許請求の範囲
【補正対象項目名】請求項９
【補正方法】変更
【補正の内容】
【請求項９】
上記係合突起は、カム筒の軸径方向に弾性的に変位可能に設けられている請求項６または８に記載の筆記具。
【手続補正書】
【提出日】平成17年1月19日(2005.1.19)
【手続補正１】
【補正対象書類名】明細書
【補正対象項目名】００１６
【補正方法】変更
【補正の内容】
【００１６】
上記実施例では、ストッパーを用いたが、図７には、ストッパーを省略した形態の実施例が示されている。図において、軸筒（２９）は係合孔（３０）を有し、該係合孔（３０）にカム筒（４）の係合突起（１５）が回転方向に離脱可能に係合している。該係合突起（１５）を上記係合孔（３０）に誘導するガイド縁（３１）及び内面凹部（３２）は上記軸筒（２９）の内面に形成されている。カム筒（４）やノック部（５）等の構成は、上記実施例とほぼ同様であるので、同じ符号を付して説明を省略する。この構成によれば、軸筒（２９）の後端からカム筒（４）を軸筒（２９）内に挿入することにより組み付けでき、また該カム筒（４）を回転することにより軸筒から取り外してリフィールを交換することができ、上述の如きストッパーを用いないので構成が簡単で経済的である。